(57)【要約】【課題】  光学部品が取り付けられる光学装置の筺体において、筺体が振動する振動数を、走査ムラを目立たせなくする振動数に遷移させる技術を提供する。【解決手段】  光学部材の長手方向と略直交する側壁を外壁（面１ｆ，１ｇ）と内壁とからなる二重構造とし、二重構造とされた前記側壁の第一の面１ｂと略同一高さの端面に、前記外壁と前記内壁とを連結する面１ｐ，１ｑが第二の面１ｃと略同じ高さに設けられ、二重構造とされた前記側壁の第二の面１ｃと略同一高さの端面に、前記外壁と前記内壁とを連結する面が第一の面１ｂと略同じ高さに設けられている。【選択図】  図２
2006065232.tif 000002
【特許請求の範囲】
【請求項１】
光学系を構成する光学部材が取り付けられる取付面をそれぞれ有し、該取付面が互いに略平行に設けられている第一及び第二の板状部材と、
前記第一及び第二の板状部材を取り囲む側壁と、
を備え、光束を前記第一の板状部材に取り付けられる光学部材から前記第二の板状部材に取り付けられる光学部材を介して所定面上に集光させる光学装置の筐体において、
前記側壁のうち、前記第一の板状部材に取り付けられる光学部材から前記第二の板状部材に取り付けられる光学部材に向かう光束に沿って設けられた側壁を、外壁と内壁とからなる二重構造とし、
二重構造とされた前記側壁のうち前記第一の板状部材に沿って設けられた部分に、前記外壁と前記内壁とを連結する第三の板状部材が、前記第一の板状部材よりも前記第二の板状部材側に設けられ、
二重構造とされた前記側壁のうち前記第二の板状部材に沿って設けられた部分に、前記外壁と前記内壁とを連結する第四の板状部材が、前記第二の板状部材よりも前記第一の板状部材側に設けられていることを特徴とする光学装置の筐体。
【請求項２】
前記第一及び第二の板状部材は、前記取付面に略直交する方向に投影した場合に、前記第一の板状部材の端部と前記第二の板状部材の端部とが略一致するように設けられ、
前記第一の板状部材の端部と前記第二の板状部材の端部とを連結する第五の板状部材が、光路を遮らない範囲で設けられていることを特徴とする請求項１に記載の光学装置の筐体。
【請求項３】
前記外壁と前記内壁との間には、前記第五の板状部材と略同一面となるように、前記外壁と前記内壁とを連結する第六の板状部材が設けられていることを特徴とする請求項２に記載の光学装置の筐体。
【請求項４】
前記第一の板状部材の前記取付面は前記第二の板状部材側を向き、前記第二の板状部材の前記取付面は前記第一の板状部材側を向くように設けられていることを特徴とする請求項１〜３のいずれかに記載の光学装置の筐体。
【請求項５】
前記第二の板状部材は、前記第一の板状部材を挟んで対称的に２つ設けられていることを特徴とする請求項１〜４のいずれかに記載の光学装置の筐体。
【請求項６】
前記第三の板状部材は、前記第二の板状部材と略同じ高さに設けられ、
前記第四の板状部材は、前記第一の板状部材と略同じ高さに設けられていることを特徴とする請求項１〜５のいずれかに記載の光学装置の筐体。
【請求項７】
請求項１〜６のいずれかに記載の光学装置の筺体と、
レーザ光を発する光源手段と、
前記光源手段から発せられたレーザ光を偏向する偏向手段と、
前記偏向手段により偏向されたレーザ光を前記所定面上に結像する結像手段と、
を備え、少なくとも前記偏向手段及び前記結像手段を、前記光学系を構成する光学部材として前記光学装置の筐体に取り付けたことを特徴とする走査光学装置。
【請求項８】
請求項７に記載の走査光学装置と、
前記所定面として前記走査光学装置により光束が集光される像担持体を有し、該像担持体上に形成された静電潜像を現像して得られたトナー画像をシートに転写する画像形成手段と、
を備えることを特徴とする画像形成装置。
【発明の詳細な説明】
【技術分野】
【０００１】
本発明は、レーザプリンタやレーザファクシミリ等の画像形成装置に関し、特に、これらの装置に用いられる走査光学装置及び光学装置の筺体に関するものである。
【背景技術】
【０００２】
従来、この種の光学装置としては、概して外枠と底板からなる光学箱（筺体）の底板に、光学部品を取り付けていた。例えば、特許文献１には、光学箱底面に段差を設け、ポリゴンミラーと光学部品を階段状に段違いに配置する構成が提案されている。
【特許文献１】実開平０５−０１１１６１号公報
【発明の開示】
【発明が解決しようとする課題】
【０００３】
ところで、外枠と底板からなる光学箱は、外枠および底板が振動する固有モードを有するため、光学箱が振動することにより、光学箱に保持されている光学部品は、保持部の変位により姿勢が崩れることが懸念される。
【０００４】
特許文献１においても、光学箱の剛性を高める効果はあるが、光学部品保持部は底板が振動する固有モードを有し、光学箱に保持されている光学部品は、保持部の変位により姿勢が崩れることが懸念される。
【０００５】
姿勢が崩れた場合、光路は正規の位置とズレを生じ、結像位置が光学箱振動によって変位する、という現象を生じてしまう。
【０００６】
複写機に使用されるレーザースキャナの場合、この変位の振動数をｎ（Ｈｚ）、スキャン副走査送り速度をｓ（ｍｍ／ｓｅｃ）とすると、ｂ＝ｓ／ｎ（ｍｍ）ピッチの走査ムラ（バンディング）を生じる。
【０００７】
結像位置の変位量が大きい場合には、人間の目にバンディングが目立って見えてしまい、レーザースキャナでは、０．５＜ｂ＜２（ｍｍ）の場合に、人間の目にバンディングが目立って見えてしまう。
【０００８】
スキャン副走査送り速度ｓは機器仕様に基づいて決定される値であるため変えることはできない。
【０００９】
よって、バンディングを目立たなくするには、結像位置の変位を小さくするとともに、結像位置変位の振動数をバンディングを目立たせなくする周波数に遷移することが重要となる。
【００１０】
本発明は上記の従来技術の課題を解決するためになされたもので、光学部品が取り付けられる光学装置の筺体において、筺体が振動する振動数を、走査ムラを目立たせなくする振動数に遷移させる技術を提供することを目的とする。
【課題を解決するための手段】
【００１１】
上記目的を達成するために本発明にあっては、
光学系を構成する光学部材が取り付けられる取付面をそれぞれ有し、該取付面が互いに略平行に設けられている第一及び第二の板状部材と、
前記第一及び第二の板状部材を取り囲む側壁と、
を備え、光束を前記第一の板状部材に取り付けられる光学部材から前記第二の板状部材に取り付けられる光学部材を介して所定面上に集光させる光学装置の筐体において、
前記側壁のうち、前記第一の板状部材に取り付けられる光学部材から前記第二の板状部材に取り付けられる光学部材に向かう光束に沿って設けられた側壁を、外壁と内壁とからなる二重構造とし、
二重構造とされた前記側壁のうち前記第一の板状部材に沿って設けられた部分に、前記外壁と前記内壁とを連結する第三の板状部材が、前記第一の板状部材よりも前記第二の板状部材側に設けられ、
二重構造とされた前記側壁のうち前記第二の板状部材に沿って設けられた部分に、前記外壁と前記内壁とを連結する第四の板状部材が、前記第二の板状部材よりも前記第一の板状部材側に設けられていることを特徴とする。
【００１２】
走査光学装置にあっては、
上記記載の光学装置の筺体と、
レーザ光を発する光源手段と、
前記光源手段から発せられたレーザ光を偏向する偏向手段と、
前記偏向手段により偏向されたレーザ光を前記所定面上に結像する結像手段と、
を備え、少なくとも前記偏向手段及び前記結像手段を、前記光学系を構成する光学部材として前記光学装置の筐体に取り付けたことを特徴とする。
【００１３】
画像形成装置にあっては、
上記記載の走査光学装置と、
前記所定面として前記走査光学装置により光束が集光される像担持体を有し、該像担持体上に形成された静電潜像を現像して得られたトナー画像をシートに転写する画像形成手段と、
を備えることを特徴とする。
【発明の効果】
【００１４】
本発明によれば、光学部品が取り付けられる光学装置の筺体において、筺体が振動する振動数を、走査ムラを目立たせなくする振動数に遷移させる技術を提供することが可能となる。
【発明を実施するための最良の形態】
【００１５】
以下に図面を参照して、この発明を実施するための最良の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００１６】
図１は本発明の実施の形態に係る画像形成装置としての複写機の内部構成を示す側断面図である。
【００１７】
本複写機は、カラー原稿を読み取り、さらにデジタル編集処理等を行うカラーリーダ部１０１と、異なった色毎に像担持体を持ち、カラーリーダ部から送られる各色のデジタル画像信号に応じてカラー画像を再現，出力するプリンタ部１０３とにより構成される。１０２はカラーリーダ部１０１の不図示の原稿載置台のカバーを示している。
【００１８】
プリンタ部１０３において、２０１はカラーリーダ部１０１において生成された信号に基づきレーザー光を像担持体としての感光ドラム２１８〜２２１上に走査させる走査光学装置としてのポリゴンスキャナであり、２０２は初段のマゼンタ（Ｍ）の画像形成部である。同様の構成でシアン（Ｃ），イエロー（Ｙ），ブラック（Ｂｋ）の各色についての画
像形成部を２０３，２０４，２０５で示す。これら画像形成部において、感光ドラム２１８〜２２１上に形成された静電潜像を現像して得られたトナー画像をシート（記録媒体、転写材）に転写する画像形成手段により画像が形成される。
【００１９】
２０９，２１０はシートを収納するカセットであり、２０８はカセット２０９，２１０からシートを供給する給紙部であり、２１１は給紙部２０８により給紙されたシートを転写ベルト２０６に吸着させる吸着帯電器であり、２１２は転写ベルト２０６の回転に用いられると同時に吸着帯電器２１１と対になって転写ベルト２０６にシートを吸着帯電させる転写ベルトローラである。
【００２０】
２２４はシートを転写ベルト２０６から分離しやすくするための除電帯電器であり、２２５はシートが転写ベルトから分離する際の剥離放電による画像乱れを防止する剥離帯電器であり、２２６，２２７は分離後のシート上のトナーの吸着力を補い、画像乱れを防止する定着前帯電器であり、２２２，２２３は転写ベルト２０６を除電し、転写ベルト２０６を静電的に初期化するための転写ベルト除電帯電器であり、２２８は転写ベルト２０６の汚れを除去するベルトクリーナである。
【００２１】
２０７は転写ベルト２０６から分離され、定着前帯電器２２６，２２７で再帯電されたシート上のトナー画像をシート上に熱定着する定着器である。
【００２２】
図２〜４はポリゴンスキャナ２０１を詳細に説明するための図である。本実施の形態におけるポリゴンスキャナ２０１は左右対称形状であるので、片側の構成についてのみ説明することとする。
【００２３】
１は光学部品の保持機構である光学箱、２は４面の反射面を備える偏向手段としてのポリゴンミラー、３はポリゴンミラー２を回動するモーター、４は第一のレンズ、５は第二のレンズ、６は第一の反射鏡、７は第二の反射鏡、８はレーザー照射装置で、イエロー（Ｙ）用半導体レーザー８ａ・マゼンダ（Ｍ）用半導体レーザー８ｂ・シアン（Ｃ）用半導体レーザー８ｃ・黒（Ｂｋ）用半導体レーザー８ｄから構成される。ここで、光学箱１は、本発明に係る光学装置の筺体を構成し、ポリゴンミラー２は本発明に係る偏向手段を構成し、第一のレンズ４及び第二のレンズ５は本発明に係る結像手段を構成し、レーザー照射装置８は本発明に係る光源手段を構成している。
【００２４】
半導体レーザー８ａ〜８ｄから出射されたレーザー光は、モーター３により回動するポリゴンミラー２に当たり、第一のレンズ４方向に反射する。レーザー光はポリゴンミラー２の回動に伴い、第一のレンズ４長手方向に走査される。レーザー光は更に、第二のレンズ５を通過した後、第一の反射鏡６または第二の反射鏡７により進路を曲げ、画像形成部２０３または２０２に照射される。
【００２５】
各半導体レーザー８ａ〜８ｄはポリゴンミラー２への入射角が異なる如く配置されているので、半導体レーザー８ａ・８ｃから出射されたＹ・Ｃ用レーザー光は第一の反射鏡６に向かう光路をとり、半導体レーザー８ｂ・８ｄから出射されたＭ・Ｂｋ用レーザー光は第二の反射鏡７に向かう光路をとる。さらに本実施の形態では、第一のレンズ４、第二のレンズ５、第一の反射鏡６、第二の反射鏡７は、ポリゴンミラー２を中心に左右対称に二組設けられており、同等の機能を備えているので、半導体レーザー８ａ・８ｄから出射されたＹ・Ｂｋ用レーザー光は図３において左側に示される光学系に向かう光路をとり、半導体レーザー８ｂ・８ｃから出射されたＭ・Ｃ用レーザー光は図３において右側に示される光学系に向かう光路をとる。すなわち、各半導体レーザー８ａ〜８ｄから出射されたレーザー光は各々独立に画像形成部２０２〜２０５に照射される。
【００２６】
次に、光学箱１の構成について説明する。
【００２７】
光学箱１下方には第一の板状部材としての第一の面１ｂが設けられ、モーター３および第一のレンズ４がその上面（取付面）に保持されている。一方、光学箱１上方には第二の板状部材としての第二の面１ｃが設けられ、第二のレンズ５，第一の反射鏡６および第二の反射鏡７がその下面（取付面）に保持されている。このように、第一の面１ｂの光学部材の取付面は第二の面１ｃ側を向くように設けられ、第二の面１ｃの光学部材の取付面は第一の面１ｂ側を向くように設けられている。
【００２８】
また、第一の面１ｂと第二の面１ｃとは、光学部材の取付面に略直交する方向に投影した場合に、それぞれの端部が略一致するように設けられている。
【００２９】
そして、第一の面１ｂと第二の面１ｃとの間には、第一の面１ｂの端部と第二の面１ｃの端部とを（第一の面１ｂまたは第二の面１ｃに略直交する方向に延びて）連結する第五の板状部材としての垂直壁１ｄ，１ｅが設けられ、各々の垂直壁には、レーザー光の光路を遮らないように、レーザー光が通過するための開口部が設けられている。
【００３０】
さらに、光学箱１は、光学箱１の筐体の側壁を構成しレーザー照射装置８が取り付けられる面１ｆと、面１ｆとともに光学箱１の筐体の側壁を構成し面１ｆに対向する面１ｇを備えている。面１ｆ，１ｇは、第一のレンズ４や第二のレンズ５などの光学部材の長手方向と略直交している。
【００３１】
そして、光学箱１の筐体の側壁は、面１ｆと面１ｇとが設けられる範囲において、外壁と内壁とを有する二重構造（二重構成）をなしており、面１ｆと面１ｇとを外壁とし、面１ｆと面１ｇとに各々に平行に設けられた面１ｈ，１ｉを内壁として備えている。ここで、面１ｆや面１ｇなどにより構成される二重構造は、光学箱１の筐体の側壁のうち、第一の面１ｂに保持された第一のレンズ４から、第二の面１ｃに保持された第二のレンズ５や第一の反射鏡６などに向かうレーザー光に沿って設けられているということもできる。
【００３２】
面１ｆと面１ｈとの間には面１ｄと略同一面にリブ１ｊ、面１ｅと略同一面にリブ１ｋが設けられている。同様に、面１ｇと面１ｉの間には面１ｄと略同一面にリブ１ｍ、面１ｅと略同一面にリブ１ｎが設けられている。ここで、リブ１ｊ，１ｋ，１ｍ，１ｎは、第六の板状部材を構成している。
【００３３】
面１ｆ，１ｈ，１ｊ，１ｋに囲まれる範囲には、第二の面１ｃと略同じ高さの面１ｐが設けられている。同様に、面１ｇ，１ｉ，１ｍ，１ｎに囲まれる範囲には、第二の面１ｃと略同じ高さの面１ｑが設けられている。ここで、面１ｐ，１ｑは、第三の板状部材を構成している。なお、本実施の形態では、面１ｐ，１ｑは、第二の面１ｃと略同じ高さに設けているが、第一の面１ｂよりも第二の面１ｃ側に設けられていればよい。
【００３４】
光学部品長手方向に平行な光学箱外形面１ｒと、面１ｆ，１ｈ，１ｋに囲まれる範囲には、光学箱最下面１ｓと略同じ高さの面１ｔが設けられている。同様に、面１ｒ，１ｉ，１ｇ，１ｎに囲まれる範囲には、光学箱最下面１ｓと略同じ高さの面１ｕが設けられている。光学箱１は左右対称であるので、図３右半分にも同様に、１ｓと略同じ高さの面１ｖ，１ｗが設けられている。ここで、面１ｔ，１ｕ，１ｖ，１ｗは、第四の板状部材を構成している。なお、本実施の形態では、面１ｔ，１ｕ，１ｖ，１ｗは、光学箱最下面１ｓと略同じ高さに設けているが、第一の面１ｂと略同じ高さに設けられていても好ましく、第二の面１ｃよりも第一の面１ｂ側に設けられていればよい。
【００３５】
すなわち、本実施の形態における光学箱１は、モーター３および第一のレンズ４光学箱
が保持されている第一の面１ｂを中心に、天面（光学箱上方に設けられた面）および底面（光学箱下方に設けられた面）が市松状（市松模様のように）に配置されているということができる。
【００３６】
図５は第一の比較例を示す図であり、図５に示す符号１１〜１７の機能は各々、上述した本実施の形態の符号１〜７と同様なので説明を省略する。モーター１３、第一のレンズ１４、第二のレンズ１５、第一の反射鏡１６および第二の反射鏡１７は、全て光学箱下方に設けられた天面１１ａの上面に保持されている。
【００３７】
すなわち、第一の比較例における光学箱１１は、外周を構成する枠部分と、光学箱下方に設けられた天面１１ａと、から構成される。
【００３８】
図７〜１０は、第二〜第五の比較例を表す図であり、本実施の形態とは、二重構造となっている側面の開口のふさぎ方、あるいは二重壁間（二重構造を構成する外壁と内壁との間）に配置されたリブ配置の有無が異なる。
【００３９】
第二の比較例における光学箱２１では、図７に示すように、側面（二重壁間）の開口部のふさぎ方が、本実施の形態と逆配置になっている。例えば、光学箱１の面１ｐは、光学箱２１では、開口部となっている。
【００４０】
第三の比較例における光学箱２２では、図８に示すように、側面の開口部を全て上面（面１ｃと略同じ高さの面）でふさいでいる。
【００４１】
第四の比較例における光学箱２３では、側面の開口部を全て下面（光学箱最下面１ｓと略同じ高さの面）でふさいでいる。
【００４２】
第五の比較例における光学箱２４では、側面の開口部を全て下面でふさぎ、二重壁間に配するリブがない。
【００４３】
このような比較例に対して、本発明者らは、以下に示すような鋭意検討を行った。
【００４４】
各レーザー光はポリゴンミラーと同期し、点滅を繰り返すことで感光体上に所望の形状を形成する。しかし、レーザー光路を決定する光学部品の位置、あるいは曲率が設計称呼値と異なれば、感光体上に所望の形状を形成することはできない。特にカラー複写機等に用いるカラー原稿読取装置においては、わずかな光路のズレが色ズレや色味の差となって認識されやすい。
【００４５】
光学部品の位置、あるいは曲率の誤差原因としては、静的には部品精度・組み付け精度がある。
【００４６】
また、動的には、何らかの起振力により光学部品を保持する部品が振動することにより光学部品位置が変位し、あるいは、光学部品自身が振動し、光学部品の位置、あるいは曲率が設計称呼値と異なることが誤差原因としてあげられる。
【００４７】
動的な誤差を排除するには、理想的には、起振力が生じず、あるいは起振力が生じても光学部品が振動・変位しないことが求められる。しかし、大きさ・重量・コストの制限の中で製品設計を行う場合、光学部品を振動・変位させないことは難しく、むしろ、光学部品の振動・変位をいかに実用上の問題を生じさせないように制御するか、が重要なテーマとなる。
【００４８】
光学部品の振動・変位の制御方法として、起振力の減少・制振機構の利用などにより、光学部品の振幅・変位量を減少さす方法、及び、起振力の大きい振動数、あるいは最終印字物に人の目に目立つ瑕疵を生じる振動数に注目し、これらの振動数と系の固有振動数を乖離させる方法、の二通りが一般に行われている。
【００４９】
本実施の形態では、後者の方法を用いることによって、動的な原因による光学部品の位置、あるいは曲率の設計称呼値との差異を、実用上の問題を生じさせないように制御する構造を提案する。
【００５０】
以下に、本実施の形態における固有振動数の遷移の例について説明する。
【００５１】
本実施の形態あるいは比較例における光学箱の外形は、幅約２４０ｍｍ、奥行約２００ｍｍ、高さ約５０ｍｍである。基本肉厚を３ｍｍとし、樹脂材料で形成した場合、一次の固有モードは本実施の形態あるいは比較例ともに、図６に示す「捩れモード」となる。
【００５２】
このときの固有振動数を比較すると、本実施の形態では約３００Ｈｚ、第一の比較例では約８０Ｈｚとなり、本実施の形態は比較例に比して固有振動数が約４倍に高くなっている。
【００５３】
また、第二〜第五の比較例において、各々の固有振動数は約１７０Ｈｚ、１９０Ｈｚ、１９０Ｈｚ、１３０Ｈｚであり、本実施の形態により固有振動数を２．３〜１．６倍に高くすることが可能である。
【００５４】
光学箱の固有振動数が高くなることには以下のような意義がある。
【００５５】
光学箱の各固有モードにおいて光学箱は起振力により共振し、光学部品は光学箱の振動により変位する。すると、レーザー光の光路は光学部品の変位により、設計称呼値との差異を生じる。すなわち、光学箱の固有振動数において、レーザー光の光路は設計称呼値との差異を生じることとなる。
【００５６】
このときの振動数をｎ（Ｈｚ）、感光体表面のスキャン副走査送り速度をｓ（ｍｍ／ｓｅｃ）とすると、レーザー光は感光体表面においてｂ＝ｓ／ｎ（ｍｍ）ピッチの走査ムラ（バンディング）を生じる。
【００５７】
０．５＜ｂ＜２（ｍｍ）の場合、人間の目にバンディングが目立って見えるが、スキャン副走査送り速度ｓは機器仕様で決定される値であり変えることができない。よって、バンディングを目立たなくするには、結像位置変位の振動数をバンディングを目立たせなくする周波数に遷移することが重要となる。
【００５８】
すなわち、本実施の形態の如く、光学箱を、光学部材の取付面を光学箱上方と下方に分割する形状にし、光学部材長手方向と直交する外壁を二重構造とし、二重壁間にリブを設け、二重壁とリブで形成される開口を、高さが市松状になる如く塞ぐことにより、光学箱の固有振動数を高くすることができ、ピッチの走査ムラ（バンディング）を人間の目に目立って見える領域から外すことが可能となる。
【図面の簡単な説明】
【００５９】
【図１】本発明の実施の形態に係る画像形成装置の内部構成を示す概略断面図である。
【図２】本発明の実施の形態に係る走査光学装置を示す概略図である。
【図３】本発明の実施の形態に係る走査光学装置を示す概略図である。
【図４】本発明の実施の形態に係る走査光学装置を示す概略図である。
【図５】第一の比較例の走査光学装置を示す概略図である。
【図６】固有モードのモードシェイプを説明するための図である。
【図７】第二の比較例の走査光学装置を示す概略図である。
【図８】第三の比較例の走査光学装置を示す概略図である。
【図９】第四の比較例の走査光学装置を示す概略図である。
【図１０】第五の比較例の走査光学装置を示す概略図である。
【符号の説明】
【００６０】
１  光学箱
１ｂ  第一の面（第一の板状部材）
１ｃ  第二の面（第二の板状部材）
１ｄ，１ｅ  垂直壁（第五の板状部材）
１ｆ，１ｇ  面（外壁）
１ｈ，１ｉ  面（内壁）
１ｊ，１ｋ，１ｍ，１ｎ  リブ（第六の板状部材）
１ｐ，１ｑ  面（第三の板状部材）
１ｔ，１ｕ，１ｖ，１ｗ  面（第四の板状部材）
２  ポリゴンミラー
３  モーター
４  第一のレンズ
５  第二のレンズ
６  第一の反射鏡
７  第二の反射鏡
８  レーザー照射装置
８ａ  イエロー（Ｙ）用半導体レーザー
８ｂ  マゼンダ（Ｍ）用半導体レーザー
８ｃ  シアン（Ｃ）用半導体レーザー
８ｄ  黒（Ｂｋ）用半導体レーザー
１０１  カラーリーダ部
１０３  プリンタ部
２０１  ポリゴンスキャナ
２０２  マゼンタ（Ｍ）の画像形成部
２０３  シアン（Ｃ）の画像形成部
２０４  イエロー（Ｙ）の画像形成部
２０５  ブラック（Ｂｋ）の画像形成部
２１８  マゼンタ（Ｍ）の感光ドラム
２１９  シアン（Ｃ）の感光ドラム
２２０  イエロー（Ｙ）の感光ドラム
２２１  ブラック（Ｂｋ）の感光ドラム
【図１】
2006065232.tif 000003
【図２】
2006065232.tif 000004
【図３】
2006065232.tif 000005
【図４】
2006065232.tif 000006
【図５】
2006065232.tif 000007
【図６】
2006065232.tif 000008
【図７】
2006065232.tif 000009
【図８】
2006065232.tif 000010
【図９】
2006065232.tif 000011
【図１０】
2006065232.tif 000012